(57)【要約】【課題】第三者がロック状態を解除することを抑制する。【解決手段】通知部１６は、ロック状態において、表示部１２が表示している複数の情報から所定の選択方式に従って選択した情報を特定する特定情報を、通知非対象者に知覚されないように通知対象者に通知する。また、受付部１８は、ロック状態において、指示された指示数値を受け付ける。そして、解除部２０は、受付部１８によって受け付けられた指示数値が、特定の数値と所定の暗証番号とを所定の演算子を用いて演算して得た演算結果と一致した場合に、ロック状態を解除する。ここで、特定の数値とは、表示部１２が現在表示している複数の情報のうちの通知部により通知対象者に通知された特定情報により特定された情報に含まれる数値から所定規則に従って特定した数値を指す。【選択図】図１
2014239310.tif 000002
【特許請求の範囲】
【請求項１】
ロック状態において、各々数値を含む異なる複数の情報を表示する表示部と、
前記ロック状態において、前記表示部が表示している前記複数の情報から所定の選択方式に従って選択した情報を特定する特定情報を、通知非対象者に知覚されないように通知対象者に通知する通知部と、
前記ロック状態において、指示された指示数値を受け付ける受付部と、
前記受付部によって受け付けられた前記指示数値が、前記表示部が現在表示している前記複数の情報のうちの前記通知部により前記通知対象者に通知された前記特定情報により特定された情報に含まれる数値から所定規則に従って特定した数値と所定の暗証番号とを所定の演算子を用いて演算して得た演算結果と一致した場合に、前記ロック状態を解除する解除部と、
を含む端末装置。
【請求項２】
前記複数の情報のうちの少なくとも１つに含まれる数値は、所定の更新条件を満足した場合に更新される請求項１に記載の端末装置。
【請求項３】
外部環境を特定する物理量を測定する測定部を更に含み、
前記複数の情報のうちの少なくとも１つに含まれる数値は、前記測定部が測定した物理量が変化した場合に前記測定部の測定結果に応じて更新される請求項２に記載の端末装置。
【請求項４】
前記通知部は、前記特定情報に応じた類型振動を振動器に発生させることで前記類型振動を前記通知対象者に感知させる振動通知方式、及び、音響を前記通知非対象者に聴取させずに前記通知対象者に聴取させる音響伝達器を利用して、前記特定情報に応じた類型音響を前記通知対象者に聴取させる音響通知方式のうちの少なくとも一方により、前記特定情報を前記通知対象者に通知する請求項１から請求項３の何れか１項に記載の端末装置。
【請求項５】
前記所定の選択方式は、前記表示部が表示している前記複数の情報から１つの情報を無作為に選択する選択方式である請求項１から請求項４の何れか１項に記載の端末装置。
【請求項６】
ロック状態において、各々数値を含む異なる複数の情報を表示する表示部が表示している前記複数の情報から所定の選択方式に従って選択した情報を特定する特定情報を、通知非対象者に知覚されないように通知対象者に通知し、
前記ロック状態において、指示された指示数値を受け付け、
受け付けた前記指示数値が、前記表示部が現在表示している前記複数の情報のうちの前記通知対象者に通知した前記特定情報により特定された情報に含まれる数値から所定規則に従って特定した数値と所定の暗証番号とを所定の演算子を用いて演算して得た演算結果と一致した場合に、前記ロック状態を解除する
ことを含むロック状態解除方法。
【請求項７】
コンピュータに、
ロック状態において、各々数値を含む異なる複数の情報を表示する表示部が表示している前記複数の情報から所定の選択方式に従って選択した情報を特定する特定情報を、通知非対象者に知覚されないように通知対象者に通知し、
前記ロック状態において、指示された指示数値を受け付け、
受け付けた前記指示数値が、前記表示部が現在表示している前記複数の情報のうちの前記通知対象者に通知した前記特定情報により特定された情報に含まれる数値から所定規則に従って特定した数値と所定の暗証番号とを所定の演算子を用いて演算して得た演算結果と一致した場合に、前記ロック状態を解除する
ことを含む処理を実行させるためのロック状態解除プログラム。 
【発明の詳細な説明】
【技術分野】
【０００１】
開示の技術は、端末装置、ロック状態解除方法及びロック状態解除プログラムに関する。
【背景技術】
【０００２】
スマートフォンやタブレット端末などのスマートデバイスの多くには、ロック機能が搭載されている。ロック機能は、スマートデバイスに搭載されている特定の機能（例えば電子メール機能や通話機能など）がスマートデバイスの利用者（以下、「利用者」という）以外の者（以下、「第三者」という）によって利用されることを防止する機能である。スマートデバイスは、ロック機能が作動している状態（以下、「ロック状態」という）で、例えば利用者によって特定の入力操作が行われてロック状態が解除されることにより、上記特定の機能の使用を可能にする。逆に、上記特定の機能は、ロック状態が解除されない限り、利用者と雖も使用することができない。
【０００３】
ここで、ロック状態を解除するためにスマートデバイスに対して行われる特定の入力操作としては、例えば、予め登録された数値（暗証番号）の入力操作が挙げられる。また、タッチパネルを有するスマートデバイスにあっては、タッチパネルに対し、予め登録された所定の数字や文字等を描く接触操作が挙げられる。
【先行技術文献】
【特許文献】
【０００４】
【特許文献１】特開２００７−１８９３７４号公報
【発明の概要】
【発明が解決しようとする課題】
【０００５】
しかしながら、上記特定の入力操作によるロック状態の解除方法では、例えば満員電車内のように混雑した状況下において利用者による入力操作が盗み見られ、入力操作を盗み見た第三者によってスマートデバイスのロック状態が解除されてしまう虞がある。
【０００６】
開示の技術は、第三者がロック状態を解除することを抑制することが目的である。
【課題を解決するための手段】
【０００７】
開示の技術において、表示部は、ロック状態において、各々数値を含む異なる複数の情報を表示する。また、通知部は、ロック状態において、表示部が表示している複数の情報から所定の選択方式に従って選択した情報を特定する特定情報を、通知非対象者に知覚されないように通知対象者に通知する。また、受付部は、ロック状態において、指示された指示数値を受け付ける。そして、解除部は、受付部によって受け付けられた指示数値が演算結果と一致した場合に、ロック状態を解除する。ここで、演算結果とは、表示部が現在表示している複数の情報のうちの通知部により通知対象者に通知された特定情報により特定された情報に含まれる数値から所定規則に従って特定した数値と所定の暗証番号とを所定の演算子を用いて演算して得た演算結果を指す。
【発明の効果】
【０００８】
開示の技術は、１つの側面として、第三者がロック状態を解除することを抑制することができる、という効果を有する。
【図面の簡単な説明】
【０００９】
【図１】第１及び第２実施形態に係るスマートデバイスの要部機能の一例を示すブロック図である。
【図２】第１及び第２実施形態に係るスマートデバイスの電気系の構成の一例を示すブロック図である。
【図３】第１及び第２実施形態に係るスマートデバイスに含まれる二次記憶部の記憶内容の一例を示す模式図である。
【図４】第１実施形態に係る振動通知用テーブルの内容の一例を示す模式図である。
【図５】第２実施形態に係る音響通知用テーブルの内容の一例を示す模式図である。
【図６】第１及び第２実施形態に係るスマートデバイスの外観構成の一例を示す概略正面図である。
【図７】第１実施形態に係るロック状態解除処理の流れの一例を示すフローチャートである。
【図８】第１実施形態に係るロック解除画面が表示されている状態のスマートデバイスの外観構成の一例を示す概略正面図である。
【図９】第２実施形態に係るロック解除画面が表示されている状態のスマートデバイスの外観構成の一例を示す概略正面図である。
【図１０】第２実施形態に係るロック状態解除処理の流れの一例を示すフローチャートである。
【図１１】図１０に示すフローチャートの続きである。
【図１２Ａ】第２実施形態に係るロック解除画面上のタッチパネルに“０”が描かれた状態の数値指示部の一例を示す態様図である。
【図１２Ｂ】第２実施形態に係るロック解除画面上のタッチパネルに“１”が描かれた状態の数値指示部の一例を示す態様図である。
【図１２Ｃ】第２実施形態に係るロック解除画面上のタッチパネルに“２”が描かれた状態の数値指示部の一例を示す態様図である。
【図１２Ｄ】第２実施形態に係るロック解除画面上のタッチパネルに“３”が描かれた状態の数値指示部の一例を示す態様図である。
【図１２Ｅ】第２実施形態に係るロック解除画面上のタッチパネルに“４”が描かれた状態の数値指示部の一例を示す態様図である。
【図１２Ｆ】第２実施形態に係るロック解除画面上のタッチパネルに“５”が描かれた状態の数値指示部の一例を示す態様図である。
【図１２Ｇ】第２実施形態に係るロック解除画面上のタッチパネルに“６”が描かれた状態の数値指示部の一例を示す態様図である。
【図１２Ｈ】第２実施形態に係るロック解除画面上のタッチパネルに“７”が描かれた状態の数値指示部の一例を示す態様図である。
【図１２Ｉ】第２実施形態に係るロック解除画面上のタッチパネルに“８”が描かれた状態の数値指示部の一例を示す態様図である。
【図１２Ｊ】第２実施形態に係るロック解除画面上のタッチパネルに“９”が描かれた状態の数値指示部の一例を示す態様図である。
【図１２Ｋ】第２実施形態に係るロック解除画面上のタッチパネルに“１０”が描かれた状態の数値指示部の一例を示す態様図である。
【図１２Ｌ】第２実施形態に係るロック解除画面上のタッチパネルに“１１”が描かれた状態の数値指示部の一例を示す態様図である。
【図１２Ｍ】第２実施形態に係るロック解除画面上のタッチパネルに“１２”が描かれた状態の数値指示部の一例を示す態様図である。
【図１２Ｎ】第２実施形態に係るロック解除画面上のタッチパネルに“１３”が描かれた状態の数値指示部の一例を示す態様図である。
【図１２Ｐ】第２実施形態に係るロック解除画面上のタッチパネルに“１４”が描かれた状態の数値指示部の一例を示す態様図である。
【図１２Ｑ】第２実施形態に係るロック解除画面上のタッチパネルに“１５”が描かれた状態の数値指示部の一例を示す態様図である。
【図１２Ｒ】第２実施形態に係るロック解除画面上のタッチパネルに“１６”が描かれた状態の数値指示部の一例を示す態様図である。
【図１２Ｓ】第２実施形態に係るロック解除画面上のタッチパネルに“１７”が描かれた状態の数値指示部の一例を示す態様図である。
【図１２Ｔ】第２実施形態に係るロック解除画面上のタッチパネルに“１８”が描かれた状態の数値指示部の一例を示す態様図である。
【図１３】第１及び第２実施形態に係る音響通知用テーブルの変形例を示す模式図である。
【発明を実施するための形態】
【００１０】
以下、図面を参照して開示の技術の実施形態の一例を詳細に説明する。なお、以下の説明では、開示の技術に係る情報処理装置の一例としてスマートデバイスを例に挙げて説明するが、開示の技術は、これに限定されるものではない。開示の技術は、例えば、パーソナル・コンピュータ、ゲーム機、カーナビゲーション装置、携帯電話機、デジタルカメラなどの種々の端末装置に適用可能である。
【００１１】
［第１実施形態］
一例として図１に示すスマートデバイス１０は、ロック機能を備えている。スマートデバイス１０は、タッチパネル及びタッチパネル外に設けられたキー（ハードキー）を有しており、例えば、キーによって所定時間（例えば１５秒）以内に何らかの指示が受け付けられない場合にロック機能が作動してロック状態とされる。
【００１２】
スマートデバイス１０は、表示部１２、測定部１４、通知部１６、受付部１８及び解除部２０を含む。表示部１２は、ロック状態において、各々数値を含む異なる複数の情報（以下、「数値情報」という）を表示する。表示部１２としては、液晶ディスプレイや有機ＥＬディスプレイが例示できる。複数の数値情報の各々に含まれる数値としては、例えば、現在時刻、温度、湿度、位置情報（本第１実施形態では一例として緯度及び経度）及び歩数が挙げられる。
【００１３】
測定部１４は、外部環境を特定する物理量を測定する。物理量としては、例えば、温度、湿度及び位置情報が挙げられる。なお、表示部１２に表示される数値情報に含まれる温度、湿度、位置情報は、測定部１４の測定結果に応じて更新される。
【００１４】
通知部１６は、ロック状態において、特定情報を、第三者（開示の技術に係る通知非対象者の一例）に知覚されないように利用者（開示の技術に係る通知対象者の一例）に通知する。ここで、特定情報とは、表示部１２が表示している複数の数値情報から通知部１６が所定の選択方式に従って選択した数値情報を特定する情報を指す。所定の選択方式としては、例えば、乱数を利用した選択方式（無作為選択方式）が挙げられる。
【００１５】
また、通知部１６は、振動通知方式や音響通知方式の少なくとも一方の通知方式を用いて特定情報を利用者に通知する。振動通知方式は、特定情報に応じた類型振動を振動器（例えばバイブレータ）に発生させることで類型振動を利用者に感知させる通知方式を指す。音響通知方式は、音響を第三者に聴取させずに利用者に聴取させる音響伝達器（例えばイヤホンやヘッドホン）を利用して、特定情報に応じた類型音響を利用者に聴取させる通知方式を指す。
【００１６】
受付部１８は、ロック状態において、指示された指示数値（例えば０〜１８の何れかの整数）を受け付ける。受付部１８の一例としては、後述のタッチパネル１８Ａ及びキー１８Ｂ（図６参照）を含む入力デバイスが例示できる。
【００１７】
解除部２０は、受付部１８によって受け付けられた指示数値が、特定の数値と所定の暗証番号とを所定の演算子を用いて演算して得た演算結果と一致した場合に、ロック状態を解除する。ここで、特定の数値とは、表示部１２が現在表示している複数の情報のうちの通知部１６により通知対象者に通知された特定情報により特定された情報に含まれる数値から所定規則に従って特定した数値を指す。ここで、所定の暗証番号とは、例えば、利用者がスマートデバイス１０に予め登録した１桁の数値を指す。また、所定規則とは、例えば、特定桁（例えば下１桁や全桁などの予め定められた桁）の数値を特定することを命令する規則を指す。また、所定の演算子とは、例えば、加算子である“＋”を指す。なお、本第１実施形態では、説明の便宜上、上記の所定規則を利用者が既に知得している場合を前提にして説明する。
【００１８】
スマートデバイス１０は、ＣＰＵ（Central Processing Unit）３０、一次記憶部３２及び二次記憶部３４を備え、ＣＰＵ３０、一次記憶部３２及び二次記憶部３４はバス３６を介して接続されている。なお、一次記憶部３２とは、揮発性のメモリを意味し、例えばＲＡＭ（Random Access Memory）を指す。二次記憶部３４は、不揮発性のメモリを意味し、例えばフラッシュメモリやＨＤＤ（Hard Disk Drive）を指す。
【００１９】
二次記憶部３４は、一例として図３に示すロック状態解除プログラム３８、振動通知用テーブル４０及び音響通知用テーブル４２を記憶している。ＣＰＵ３０は、二次記憶部３４からロック状態解除プログラム３８を読み出して一次記憶部３２に展開し、ロック状態解除プログラム３８が有するプロセスを順次実行する。ロック状態解除プログラム３８は、測定プロセス３８Ａ、通知プロセス３８Ｂ及び解除プロセス３８Ｃを有する。ＣＰＵ３０は、測定プロセス３８Ａを実行することで、図１に示す測定部１４として動作する。また、ＣＰＵ３０は、通知プロセス３８Ｂを実行することで、図１に示す通知部１６として動作する。また、ＣＰＵ３０は、解除プロセス３８Ｃを実行することで、図１に示す解除部２０として動作する。
【００２０】
振動通知用テーブル４０は、一例として図４に示すように、特定情報、照合値及び振動パターンを記憶している。図４に示す例では、特定情報として、現在時刻、歩数、温度、湿度及び緯度の各々の数値情報を特定する特定情報が例示されている。なお、以下では、説明の便宜上、現在時刻の数値情報を特定する特定情報を時刻特定情報と称する。また、歩数の数値情報を特定する特定情報を歩数特定情報と称する。また、温度の数値情報を特定する特定情報を温度特定情報と称する。湿度の数値情報を特定する特定情報を湿度特定情報と称する。また、緯度の数値情報を特定する特定情報を緯度特定情報と称する。
【００２１】
振動通知用テーブル４０において、照合値とは、後述の乱数生成部６０によって生成された乱数と照合される値を指す。照合値は、特定情報の各々に対して対応付けられている。照合値は、特定情報に応じて予め定められており、図４に示す例では、時刻特定情報に対して“０”から“１９”までの整数が対応付けられている。また、歩数特定情報に対して“２０”から“３９”までの整数が対応付けられている。また、温度特定情報に対して“４０”から“５９”までの整数が対応付けられている。また、湿度特定情報に対して“６０”から“７９”までの整数が対応付けられている。また、緯度特定情報に対して“８０”から“９９”までの整数が対応付けられている。
【００２２】
振動パターンとは、後述のバイブレータ５８が発する振動のパターンを指す。図４に示す例では、振動パターンとして、第１〜第５振動パターン（以下、これらを区別して説明する必要がない場合は「振動パターン」という）が例示されている。第１振動パターンは、例えば、第１所定時間（一例として１秒間）の連続振動が１回行われる振動パターンである。第２振動パターンは、例えば、連続振動が第２所定時間（例えば０．５秒）間隔で２回行われる振動パターンである。第３振動パターンは、例えば、連続振動が第２所定時間間隔で３回行われる振動パターンである。第４振動パターンは、例えば、連続振動が第２所定時間間隔で４回行われる振動パターンである。第５振動パターンは、例えば、第１所定時間よりも長い時間である第３所定時間（例えば３秒間）の連続振動が１回行われる振動パターンである。
【００２３】
音響通知用テーブル４２は、一例として図５に示すように、特定情報、照合値及び音響パターンを記憶している。図５に示す例では、特定情報として、時刻特定情報、歩数特定情報、温度特定情報、湿度特定情報及び緯度特定情報が例示されている。また、図５に示す例では、照合値が図４に示す例と同様に各特定情報に対応付けられている。
【００２４】
音響パターンとは、後述のイヤホン７２が出力する音響のパターンを指す。図５に示す例では、音響パターンとして、第１〜第５音響パターン（以下、これらを区別して説明する必要がない場合は「音響パターン」という）が例示されている。第１音響パターンは、例えば、第４所定時間（例えば０．５秒）の連続音が１回出力される音響パターンである。連続音としては、例えば「ピー」という音が挙げられる。第２音響パターンは、例えば、第４所定時間の連続音が第５所定時間（例えば０．５秒）間隔で２回出力される音響パターンである。第３音響パターンは、例えば、第４所定時間の連続音が第５所定時間間隔で３回出力される音響パターンである。第４音響パターンは、例えば、第４所定時間の連続音が第５所定時間間隔で４回出力される音響パターンである。第５音響パターンは、例えば、第４所定時間よりも長い時間である第６所定時間（例えば３秒間）の連続音が１回出力される音響パターンである。
【００２５】
図２に戻って、表示部１２及び受付部１８は、バス３６に接続されている。表示部１２は、ＣＰＵ３０の制御下で各種情報を表示する。受付部１８は、一例として図６に示すタッチパネル１８Ａ及びキー１８Ｂを含み、タッチパネル１８Ａ及びキー１８Ｂは、何れも、利用者が指示する各種情報を受け付け、受け付けた情報をＣＰＵ３０へ出力する。スマートデバイス１０では、一例として図６に示すように、タッチパネル１８Ａが、表示部１２の表示領域１２Ａに重ねられており、タッチパネル１８Ａが特定の指示体（例えば指やスタイラスペンなど）による接触操作を検知する。そして、表示部１２がタッチパネルの検知結果に応じた情報を表示領域１２Ａに表示する。
【００２６】
一例として図２に示すように、スマートデバイス１０は、無線通信部５４、外部インタフェース（Ｉ／Ｆ）５６、バイブレータ５８（開示の技術に係る振動器の一例）、乱数生成部６０及びリアルタイムクロック（以下、「ＲＴＣ」という）６２を備えている。また、スマートデバイス１０は、歩数カウンタ６４、温度センサ６６、湿度センサ６８及びＧＰＳ受信部７０を備えている。無線通信部５４、外部Ｉ／Ｆ５６、バイブレータ５８、ＲＴＣ６２、歩数カウンタ６４、温度センサ６６、湿度センサ６８及びＧＰＳ受信部７０は、バス３６に接続されている。
【００２７】
無線通信部５４は、無線通信プロセッサ（図示省略）、送受信回路（図示省略）及びアンテナ（図示省略）を含む。無線通信プロセッサは、ＣＰＵ３０と情報の授受を行うと共に、ＣＰＵ３０の指示を受けて送受信回路及びアンテナを介して通信先（例えば基地局）と無線通信を行う。
【００２８】
外部Ｉ／Ｆ５６は、外部装置が接続され、外部装置とＣＰＵ３０との間の各種情報の送受信を司る。図２に示す例では、外部装置の一例としてイヤホン７４（開示の技術に係る音響伝達器）が例示されている。イヤホン７４は、イヤホンコード７２を介して外部Ｉ／Ｆ５６に接続されている。ＣＰＵ３０は、音響を示す音響信号を外部Ｉ／Ｆ５６及びイヤホンコード７４を介してイヤホン７２に出力し、イヤホン７２は、入力された音響信号に応じた音響を出力する。
【００２９】
バイブレータ５８は、ＣＰＵ３０の指示に従ってモータ（図示省略）を駆動させることにより振動を生成し、生成した振動をスマートデバイス１０の筐体に伝達することでスマートデバイス１０の筐体を振動させる。
【００３０】
乱数生成部６０は、ＣＰＵ３０の指示に従って、乱数（例えば２桁の数値）を生成し、生成した乱数をＣＰＵ３０へ出力する。
【００３１】
ＲＴＣ６２は、現在時刻を刻む装置であり、ＣＰＵ３０からの要求に応じて現在時刻をＣＰＵ３０へ出力する。なお、本第１実施形態に係るスマートデバイス１０では、電源投入後、無線通信部５４によりネットワークを介して時刻を示す時刻情報が受信され、受信された時刻情報により示される時刻が現在時刻としてＲＴＣ６２に上書きされる。これにより、バッテリー抜き又はバッテリー放電後でもＲＴＣ６２の現在時刻が高精度に計時される。また、無線通信部５４がネットワークを介して定期的に時刻情報を受信し、受信した時刻情報により示される時刻をＲＴＣ６２に上書きすることで、ＲＴＣ６２の現在時刻が高精度に計時される。
【００３２】
歩数カウンタ６４は、ＣＰＵ３０の指示に従って、３軸加速度センサ（図示省略）によって測定された加速度を利用して、スマートデバイス１０を携帯している利用者の歩数を測定し、測定した歩数をＣＰＵ３０へ出力する。
【００３３】
温度センサ６６は、ＣＰＵ３０の指示に従って、スマートデバイス１０の外部の温度（例えば外気温）を測定し、測定した温度をＣＰＵ３０へ出力する。
【００３４】
湿度センサ６８は、ＣＰＵ３０の指示に従って、スマートデバイス１０の外部の湿度（例えば外気湿度）を測定し、測定した湿度をＣＰＵ３０へ出力する。
【００３５】
ＧＰＳ受信部７０は、複数のＧＰＳ衛星からの電波を受信し、受信結果を示す受信結果情報をＣＰＵ３０に出力する。ＣＰＵ３０は、ＧＰＳ受信部７０から入力された受信結果情報に基づいてスマートデバイス１０の現在位置を示す緯度及び経度を算出する。
【００３６】
次に本第１実施形態の作用として、ロック状態において、ＣＰＵ３０がロック状態解除プログラム３８を実行することでスマートデバイス１０によって行われるロック状態解除処理について、図７を参照して説明する。
【００３７】
一例として図７に示すロック状態解除処理では、先ず、ステップ１００において、測定部１４により、解除画面表示条件を満足したか否かが判定される。ここで、解除画面表示条件とは、例えば、キー１８Ｂが操作されたとの条件が挙げられる。ステップ１００において、解除画面表示条件を満足していない場合は、判定が否定されて、ステップ１００の判定が再び行われる。ステップ１００において、解除画面表示条件を満足した場合は、判定が肯定されて、ステップ１０２へ移行する。
【００３８】
ステップ１０２では、測定部１４により、測定結果等が取得される。ここで、測定結果等とは、例えば、ＲＴＣ６２が出力した現在時刻、歩数カウンタ６４が出力した歩数、温度センサ６６が出力した温度、湿度センサ６８が出力した湿度、及びＧＰＳ受信部７０が出力した受信結果を指す。
【００３９】
次のステップ１０４では、測定部１４により、一例として図８に示すロック解除画面７６が表示領域１２Ａに表示されるように表示部１２が制御される。これに応じて、表示部１２は、ロック解除画面７６を表示領域１２Ａに表示する。図８に示すロック解除画面７６には、ステップ１０２で取得された測定結果等が数値情報として表示されている。図８に示す例では、ＲＴＣ６２が出力した現在時刻として、“１５：３９”が例示されている。また、歩数カウンタ６４が出力した歩数として、“３８１２”が例示されている。また、温度センサ６６が出力した温度として、“３０℃”が例示されている。また、湿度センサ６８が出力した湿度として、“３４％”が例示されている。また、ＧＰＳ受信部７０が出力した受信結果に基づいて算出された緯度及び経度として、“Ｎ３５  ３９  ３０．４５／Ｅ１３９  ４４  ４３．０４”が例示されている。
【００４０】
また、図８に示すロック解除画面７６には、数値指示部７８が表示されている。数値指示部７８は、テンキー及びＯＫキーを含み、ロック状態を解除する際にタッチパネル１８Ａを介して操作される。テンキーは、“０”〜“９”の整数を示すソフトウェアキーであり、ＯＫボタンは、テンキーを介して入力された数値を確定する際に操作されるソフトウェアキーである。
【００４１】
次のステップ１０６では、通知部１６により、乱数生成部６０で生成された乱数が取得され、その後、ステップ１０８へ移行する。
【００４２】
ステップ１０８では、通知部１６により、振動通知用テーブル４０又は音響通知用テーブル４２から、ステップ１０６で取得された乱数が含まれる照合値に対応する特定情報が取得される。
【００４３】
次のステップ１１０では、通知部１６により、ステップ１０８で取得された特定情報により特定された数値情報に含まれる数値（ここでは一例として全桁の数値）が取得され、その後、ステップ１１２へ移行する。なお、ここで、上記ステップ１０８で取得された特定情報が時刻特定情報の場合、通知部１６により、現在時刻数値及び直前時刻数値が取得される。現在時刻数値とは、ＲＴＣ６２の現在時刻の全桁の数値を指し、直前時刻数値とは、現在時刻よりも単位時間だけ前（ここでは一例として１分前）の時刻の全桁の数値を指す。すなわち、ＲＴＣ６２の現在時刻が１５時３９分の場合、現在時刻数値は、１５時３９分に含まれる「１５３９」という４桁の数値であり、直前時刻数値は、１５時３８分に含まれる「１５３８」という４桁の数値である。
【００４４】
ステップ１１２では、通知部１６により、ステップ１１０で取得された数値と利用者によってスマートデバイス１０に予め登録された暗証番号とが加算される。例えば、暗証番号として“４”が予め登録されており、ステップ１１０で取得された数値が“１５３９”という現在時刻数値及び“１５３８”という直前時刻数値の場合、加法演算により、“１５４３”及び“１５４２”との２つの演算結果が得られる。なお、ここでは、ステップ１１０で取得された数値の全桁の数値と暗証番号とを足し合わせる例を挙げているが、開示の技術はこれに限定されるものではなく、ステップ１１０で取得された数値の桁数未満の所定桁の数値と暗証番号とを足し合わせてもよい。
【００４５】
例えば、ステップ１１０で取得された数値のうちの下１桁と暗証番号とを足し合わせてもよいし、ステップ１１０で取得された数値のうちの上１桁と暗証番号とを足し合わせてもよい。また、ここでは、暗証番号として１桁の数値を例示しているが、これに限らず、２桁以上の数値であってもよい。また、上記では、“１５３９”と暗証番号との加算を例示しているが、これに限らず、“１５３９”を逆に並べた“３９５１”と暗証番号との加算であってもよい。このように、暗証番号と足し合わせる数値は、ステップ１１０で取得された数値から所定規則に従って特定した数値であれば如何なる数値であってもよい。
【００４６】
次のステップ１１４では、通知部１６により、イヤホン７２がイヤホンコード７４を介して外部Ｉ／Ｆ５６に接続されているか否かが判定される。ステップ１１４において、イヤホン７２がイヤホンコード７４を介して外部Ｉ／Ｆ５６に接続されている場合は、判定が肯定されて、ステップ１１６へ移行する。ステップ１１４において、イヤホン７２がイヤホンコード７４を介して外部Ｉ／Ｆ５６に接続されていない場合は、判定が否定されて、ステップ１１８へ移行する。
【００４７】
ステップ１１６では、通知部１６により、振動通知用テーブル４０からステップ１０６で取得された乱数が含まれる照合値に対応する振動パターンが取得され、取得された振動パターンでバイブレータ５８を振動させることで、利用者に特定情報が通知される。また、音響通知用テーブル４２からステップ１０６で取得された乱数が含まれる照合値に対応する音響パターンが取得され、取得された音響パターンの音響をイヤホン７２から出力させることで、利用者に特定情報が通知される。ステップ１１６の処理が行われた後、ステップ１２０へ移行する。
【００４８】
ステップ１１８では、通知部１６により、振動通知用テーブル４０からステップ１０６で取得された乱数が含まれる照合値に対応する振動パターンが取得され、取得された振動パターンでバイブレータ５８を振動させることで、利用者に特定情報が通知される。ステップ１１８の処理が行われた後、ステップ１２０へ移行する。
【００４９】
ステップ１２０では、解除部２０により、受付部１８により、一例として図８に示す数値指示部７８を介して数値が受け付けられたか否かが判定される。ステップ１２０において、数値指示部７８を介して数値が受け付けられた場合は、判定が肯定されて、ステップ１２２へ移行する。ステップ１２０において、数値指示部７８を介して数値が受け付けられていない場合は、判定が否定されて、ステップ１２０の判定が再び行われる。
【００５０】
ステップ１２２では、解除部２０により、ステップ１１２で行われた加算の結果とステップ１２０で受け付けられた数値とが一致しているか否かが判定される。なお、本ステップ１２２では、ステップ１１２にて現在時刻数値及び直前時刻数値による２つの演算結果（加算の結果）が得られた場合、２つの加算の結果の何れかとステップ１２０で受け付けられた数値とが一致しているか否かが判定される。ステップ１２２において、ステップ１１２で行われた加算の結果とステップ１２０で受け付けられた数値とが一致している場合は、判定が肯定されて、ステップ１２４へ移行する。ステップ１２２において、ステップ１１２で行われた加法演算の演算結果とステップ１２０で受け付けられた数値とが一致していない場合は、判定が否定されて、ステップ１２６へ移行する。
【００５１】
ステップ１２４では、解除部２０により、ロック状態が解除され、その後、ロック状態解除処理が終了する。
【００５２】
ステップ１２６では、解除部２０により、カウント値（初期設定値が“０”のカウント値）に“１”が加算され、その後、ステップ１２８へ移行する。
【００５３】
ステップ１２８では、解除部２０により、ステップ１２６で“１”が加算されたカウント値が閾値（例えば“５”）を超えたか否かが判定される。ステップ１２８において、ステップ１２６で“１”が加算されたカウント値が閾値を超えていない場合は、判定が否定されて、ステップ１０６へ移行する。ステップ１２８において、ステップ１２６で“１”が加算されたカウント値が閾値を超えた場合は、判定が肯定されて、ステップ１３０へ移行する。
【００５４】
ステップ１３０では、解除部２０により、エラー処理が行われ、その後、ロック状態解除処理が終了する。なお、ここで、エラー処理とは、例えば、ロック状態を維持する処理及びエラー表示処理を指す。エラー表示処理とは、例えば、暗証番号が不適切なためにロック状態を解除することができなかった旨及び所定の特殊な解除方法によらなければロック状態を解除することができない旨を表示部１２に対して表示させる処理を指す。
【００５５】
以上説明したように、スマートデバイス１０では、ロック状態において、通知部１６により、表示部１２が表示している複数の数値情報から乱数に従って選択された数値情報を特定する特定情報が、第三者に知覚されないように利用者に対して通知される。そして、解除部２０により、受付部１８によって受け付けられた数値が、利用者へ通知された特定情報により特定された数値情報に含まれる数値から所定規則に従って特定された数値と暗証番号とを足し合わせた演算結果と一致した場合に、ロック状態が解除される。
【００５６】
すなわち、特定情報により特定された数値情報、所定規則及び暗証番号を既に知得している利用者であればロック状態の解除に必要な数値（受付部１８を介して入力すべき数値）を特定することができるので、解除部２０によりロック状態を解除することができる。しかし、特定情報、所定規則及び暗証番号の何れか１つでも知得していない者（例えば第三者）はロック状態の解除に必要な数値を特定することができないので、解除部２０によりロック状態を解除することができない。従って、スマートデバイス１０は、第三者がロック状態を解除することを抑制することができる。
【００５７】
また、スマートデバイス１０では、表示部１２が表示している複数の数値情報の各々に含まれている数値が所定の更新条件を満足した場合に更新される。すなわち、現在時刻はＲＴＣ６２によって時々刻々更新される。また、緯度及び経度はＧＰＳ受信部７０で受信された電波に応じて更新され、歩数は歩数カウンタ６４の測定結果に応じて更新され、温度は温度センサ６６の測定結果に応じて更新され、湿度は湿度センサ６８の測定結果に応じて更新される。従って、スマートデバイス１０は、暗証番号と足し合わせる数値として固定値を用いる場合と比較して、第三者によるロック解除を困難にすることができる。
【００５８】
また、スマートデバイス１０では、表示部１２が表示している温度、湿度、緯度及び経度が、測定部１４によって測定された物理量が更新された場合に更新される。従って、スマートデバイス１０は、暗証番号と足し合わせる数値を容易に更新することができる。
【００５９】
また、スマートデバイス１０では、バイブレータ５８が第１〜第５振動パターンで振動し、イヤホン７２が第１〜第５音響パターンで音響を発することで、特定情報を利用者に通知する。従って、スマートデバイス１０は、特定情報を第三者に知覚させることなく利用者に通知することができる。
【００６０】
また、スマートデバイス１０では、表示部１２が表示している数値情報のうち、生成された乱数に対応する数値情報を決定し、決定した数値情報に含まれる数値と暗証番号とを足し合わせて得た演算結果を用いてロック状態を解除するか否かが判定される。従って、スマートデバイス１０は、乱数を用いずに数値情報を決定する場合と比較して、ロック状態の解除に如何なる数値が使用されているか第三者によって特定され難くすることができる。
【００６１】
なお、上記第１実施形態では、暗証番号と数値情報に含まれる数値とを足し合わせる例を挙げて説明したが、開示の技術はこれに限定されるものではない。例えば、暗証番号と数値情報に含まれる数値とが除算子、乗算子又は減算子によって演算されてもよい。また、暗証番号と数値情報に含まれる数値とが加算子、除算子、乗算子及び減算子のうちの２つ以上の演算子を含む演算式により演算されてもよい。また、除算子を用いて演算すると小数点が発生することも考えられるが、この場合は、例えば、小数点以下を四捨五入すればよい。また、減算子を用いて演算すると負の数値が発生することも考えられるが、この場合は、例えば、マイナスの符号を除いた数値を採用すればよい。
【００６２】
また、上記第１実施形態では、乱数を用いて特定情報が選択される場合について説明したが、開示の技術はこれに限定されるものではない。例えば、利用者が予め定めた順序（スマートデバイス１０に対して事前に登録した順序）に従って特定情報が選択されてもよい。このように、表示部１２が表示している複数の数値情報のうちの何れの数値情報に含まれる数値がロック状態解除処理に用いられているのかを第三者に特定させ難くする選択方式に従って特定情報が選択されるのであれば、如何なる選択方式で選択されてもよい。
【００６３】
［第２実施形態］
上記第１実施形態では、図８に示すロック解除画面７６を利用してロック状態を解除する場合を例示したが、本第２実施形態では、一例として図９に示すロック解除画面８２を利用してロック状態を解除する場合について説明する。なお、本第２実施形態では、上記第１実施形態で説明した構成要素については、同一の符号を付し、説明を省略する。
【００６４】
図９に示すスマートデバイス８０は、図８に示すスマートデバイス１０と比較して、表示部１２がロック解除画面７６に代えてロック解除画面８２を表示する点が異なる。図９に示すロック解除画面８２は、図８に示すロック解除画面７６と比較して、数値指示部７８に代えて数値指示部８４が表示される点が異なる。数値指示部８４は、複数の目印画像８４を含み、各目印画像８４は、形状及び大きさが略同一の円状画像である。複数の目印画像８４は、３×３の行列状に配置されている。
【００６５】
次に本第２実施形態の作用として、ロック状態において、ＣＰＵ３０が本第２実施形態に係るロック状態解除プログラム３８を実行することでスマートデバイス８０によって行われるロック状態解除処理について、図１０及び図１１を参照して説明する。図１０及び図１１に示すロック状態解除処理は、図７に示すロック状態解除処理と比較して、ステップ１０４に代えてステップ２００を有する点、及び、ステップ１２０，１２２に代えてステップ２０１〜２０８を有する点が異なる。
【００６６】
ステップ２００では、測定部１４により、一例として図９に示すロック解除画面８２が表示領域１２Ａに表示されるように表示部１２が制御される。これに応じて、表示部１２は、ロック解除画面８２を表示領域１２Ａに表示する。
【００６７】
ステップ２０１では、解除部２０により、目印画像８４Ａの位置に対応する位置への指示体の接触がタッチパネル１８Ａで検知されたか否かが判定される。ステップ２０１において、目印画像８４Ａの位置に対応する位置への指示体の接触がタッチパネル１８Ａで検知された場合は、判定が肯定されて、ステップ２０２へ移行する。ステップ２０１において、目印画像８４Ａの位置に対応する位置への指示体の接触がタッチパネル１８Ａで検知されていない場合は、判定が否定されて、ステップ２０１の判定が再び行われる。
【００６８】
ステップ２０２では、解除部２０により、指示体によるスライド操作がタッチパネル１８Ａで検知されたか否かが判定される。ステップ２０２において、指示体によるスライド操作がタッチパネル１８Ａで検知された場合は、判定が肯定されて、ステップ２０４へ移行する。ステップ２０２において、指示体によるスライド操作がタッチパネル１８Ａで検知されていない場合（例えばタップ操作やフリック操作の場合）は、判定が否定されて、ステップ１２６へ移行する。
【００６９】
ステップ２０４では、解除部２０により、指示体の非接触がタッチパネル１８Ａで検知されたか否かが判定される。ステップ２０４において、指示体の非接触がタッチパネル１８Ａで検知された場合は、判定が肯定されて、ステップ２０６へ移行する。ステップ２０４において、指示体の非接触がタッチパネル１８Ａで検知されていない場合は、判定が否定されて、ステップ２０４の判定が再び行われる。
【００７０】
ステップ２０６では、解除部２０により、ステップ２０２で検知されたスライド操作によりタッチパネル１８Ａ上で描かれた軌跡が、目印画像８４Ａを利用して描かれた所定数値を示す軌跡か否かが判定される。ここで、所定数値とは、“０”〜“１８”までの何れかの整数を指す。所定数値を示す軌跡か否かは、一例として図１２Ａ〜図１２Ｔに示すように、タッチパネル１８Ａが各整数に応じて予め定められた目印画像８４Ａの各位置に対応する各位置にて各整数に応じて予め定められた順序で指示体の接触を検知したか否かにより判定される。図１２Ａ〜図１２Ｔに示すように、“０”〜“１８”の各整数を描く場合、始点及び終点の各位置に対応する目印画像８４Ａは予め定められており、始点の位置から終点の位置にかけて指示体が通過すべき目印画像８４Ａも予め定められている。
【００７１】
ステップ２０６において、ステップ２０２で検知されたスライド操作によりタッチパネル１８Ａ上で描かれた軌跡が、目印画像８４Ａを利用して描かれた所定数値を示す軌跡の場合は、判定が肯定されて、ステップ２０８へ移行する。ステップ２０６において、ステップ２０２で検知されたスライド操作によりタッチパネル１８Ａ上で描かれた軌跡が、目印画像８４Ａを利用して描かれた所定数値を示す軌跡でない場合は、判定が否定されて、ステップ１２６へ移行する。
【００７２】
ステップ２０８では、解除部２０により、ステップ１１２で行われた加算の結果とステップ２０６においてタッチパネル５０上で描かれた軌跡により示される所定数値とが一致しているか否かが判定される。なお、本ステップ２０８では、ステップ１１２にて現在時刻数値及び直前時刻数値による２つの演算結果（加算の結果）が得られた場合、２つの加算の結果の何れかとタッチパネル５０上で描かれた軌跡により示される所定数値とが一致しているか否かが判定される。ステップ２０８において、ステップ１１２で行われた加算の結果とステップ２０６においてタッチパネル５０上で描かれた軌跡により示される所定数値とが一致している場合は、判定が肯定されて、ステップ１２４へ移行する。ステップ２０８において、ステップ１１２で行われた加算の結果とステップ２０６においてタッチパネル５０上で描かれた軌跡により示される所定数値とが一致していない場合は、判定が否定されて、ステップ１２６へ移行する。
【００７３】
以上説明したように、スマートデバイス８０では、表示された目印画像８４Ａを利用してタッチパネル１８Ａ上で描かれた所定数値が演算結果と一致しているか否かが解除部２０により判定される。そして、表示された目印画像８４Ａを利用してタッチパネル１８Ａ上で描かれた所定数値が演算結果と一致していた場合に、解除部２０により、ロック状態が解除される。従って、スマートデバイス８０は、表示された目印画像８４Ａを利用してタッチパネル１８Ａ上でロック解除用の数値が描かれる場合であっても、第三者がロック状態を解除することを抑制することができる。
【００７４】
なお、上記第２実施形態では、表示領域５２において目印画像８４Ａが３×３の行列状に表示されている場合を例に挙げて説明したが、開示の技術はこれに限定されるものではなく、より細分化された行列状（例えば１０×１０の行列状）に表示されていてもよい。
【００７５】
また、上記各実施形態では、通知部１６が音響通知用テーブル４２を用いて利用者へ特定情報を通知する場合を例示したが、開示の技術はこれに限定されるものではなく、例えば図１３に示す音響通知用テーブル９０を用いて利用者へ特定情報を通知してもよい。図１３に示す音響通知用テーブル９０は、図５に示す音響通知用テーブル４２と比較して、図５に示す各種特定情報に加えて、温度・湿度特定情報及び温度・歩数特定情報などの複数種類の特定情報を有する点が異なる。音響通知用テーブル９０において、図５に示す各種特定情報に加えて追加された複数種類の特定情報としては、現在時刻、歩数、温度、湿度及び緯度の２つ以上の組み合わせを特定する特定情報が例示できる。
【００７６】
図１３に示す例では、温度・湿度特定情報及び温度・歩数特定情報が例示されており、温度・湿度特定情報とは、温度及び湿度を特定する特定情報を指し、温度・歩数特定情報とは、温度及び歩数を特定する特定情報を指す。また、図１３に示す例では、温度・歩数特定情報に対して、“１００〜１１９”の整数が照合値として対応付けられており、第６音響パターンが対応付けられている。第６音響パターンは、音響通知用テーブル９０に含まれる他の音響パターンと異なる音響パターンである。また、図１３に示す例では、温度・歩数特定情報に対して、“１２０〜１３９”の整数が照合値として対応付けられており、第７音響パターンが対応付けられている。第７音響パターンは、音響通知用テーブル９０に含まれる他の音響パターンと異なる音響パターンである。なお、ここでは、音響通知用テーブル９０を例に挙げて説明したが、一例として図４に示す振動通知用テーブル４０も音響通知用テーブル９０と同様に変更することが可能である。
【００７７】
また、上記各実施形態では、表示部１２が表示している現在時刻、緯度、経度、歩数、温度及び湿度の各数値をロック状態解除処理に供する場合を例示したが、これに限らず、表示部１２が表示する他の数値をロック状態解除処理に供してもよい。例えば、ステップ１０６で生成される乱数とは別のタイミングで（例えばステップ１００の解除画面表示条件を満足した場合に）生成された乱数を表示部１２に表示させ、表示された乱数をロック状態解除処理に供してもよい。なお、関数（例えばｙ＝ａｘ＋ｂ）を表示部１２に表示させ、関数における特定の係数（例えば一次関数の傾き及び傾きの少なくとも一方）を、生成された乱数を用いて更新するようにしてもよい。関数を特定する特定情報が利用者に通知された場合、独立変数（例えば“ｙ＝ａｘ＋ｂ”における“ｘ”）に暗証番号を代入して得た従属変数（開示の技術に係る指示数値）が数値指示部７８（８４）で受け付けられると、解除部２０によりロック状態が解除される。
【００７８】
また、スマートデバイス１０（８０）に紫外線センサ（図示省略）が搭載されている場合、紫外線センサによって測定された紫外線の強度を表示部１２に表示させ、表示された紫外線の強度をロック状態解除処理に供してもよい。また、スマートデバイス１０（８０）に風速計（図示省略）が搭載されている場合、風速計によって測定された風速を表示部１２に表示させ、表示された風速をロック状態解除処理に供してもよい。
【００７９】
また、上記各実施形態では、タッチパネル１８Ａが指示数値を受け付ける例を挙げて説明したが、開示の技術はこれに限定されるものではない。例えば、スマートデバイス１０（８０）にマイクロフォン（図示省略）が搭載されている場合、マイクロフォンが、音声で表現された指示数値を、音声情報として取得することにより、受け付けてもよい。
【００８０】
また、上記各実施形態では、ロック状態が解除されると、表示画面がロック解除画面７６（８２）からホーム画面へ遷移する場合を例示したが、開示の技術はこれに限定されるものではない。例えば、特定のリソース（例えばアドレス帳や音楽データなど）やアプリケーションを利用者のみが使用することができるようにロックし、上述したロック状態解除処理が行われることによってロック状態が解除されるようにしてもよい。
【００８１】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【００８２】
以上の実施形態に関し、更に以下の付記を開示する。
【００８３】
（付記１）
ロック状態において、各々数値を含む異なる複数の情報を表示する表示部と、前記ロック状態において、前記表示部が表示している前記複数の情報から所定の選択方式に従って選択した情報を特定する特定情報を、通知非対象者に知覚されないように通知対象者に通知する通知部と、前記ロック状態において、指示された指示数値を受け付ける受付部と、前記受付部によって受け付けられた前記指示数値が、前記表示部が現在表示している前記複数の情報のうちの前記通知部により前記通知対象者に通知された前記特定情報により特定された情報に含まれる数値から所定規則に従って特定した数値と所定の暗証番号とを所定の演算子を用いて演算して得た演算結果と一致した場合に、前記ロック状態を解除する解除部と、を含む端末装置。
【００８４】
（付記２）
前記複数の情報のうちの少なくとも１つに含まれる数値は、所定の更新条件を満足した場合に更新される付記１に記載の端末装置。
【００８５】
（付記３）
外部環境を特定する物理量を測定する測定部を更に含み、前記複数の情報のうちの少なくとも１つに含まれる数値は、前記測定部が測定した物理量が変化した場合に前記測定部の測定結果に応じて更新される付記２に記載の端末装置。
【００８６】
（付記４）
前記通知部は、前記特定情報に応じた類型振動を振動器に発生させることで前記類型振動を前記通知対象者に感知させる振動通知方式、及び、音響を前記通知非対象者に聴取させずに前記通知対象者に聴取させる音響伝達器を利用して、前記特定情報に応じた類型音響を前記通知対象者に聴取させる音響通知方式のうちの少なくとも一方により、前記特定情報を前記通知対象者に通知する付記１から付記３の何れか１つに記載の端末装置。
【００８７】
（付記５）
前記所定の選択方式は、前記表示部が表示している前記複数の情報から１つの情報を無作為に選択する選択方式である付記１から付記４の何れか１つに記載の端末装置。
【００８８】
（付記６）
前記所定規則は、特定桁の数値を特定することを命令する規則である付記１から付記５の何れか１つに記載の端末装置。
【００８９】
（付記７）
前記所定規則に従って特定した数値及び前記所定の暗証番号の少なくとも一方は１桁の数値である付記１から付記６の何れか１つに記載の端末装置。
【００９０】
（付記８）
前記演算子は加算子である付記１から付記７の何れか１つに記載の端末装置。
【００９１】
（付記９）
前記複数の情報の少なくとも１つは現在時刻を含む情報である付記１から付記８の何れか１つに記載の端末装置。
【００９２】
（付記１０）
ロック状態において、各々数値を含む異なる複数の情報を表示する表示部が表示している前記複数の情報から所定の選択方式に従って選択した情報を特定する特定情報を、通知非対象者に知覚されないように通知対象者に通知し、前記ロック状態において、指示された指示数値を受け付け、受け付けた前記指示数値が、前記表示部が現在表示している前記複数の情報のうちの前記通知対象者に通知した前記特定情報により特定された情報に含まれる数値から所定規則に従って特定した数値と所定の暗証番号とを所定の演算子を用いて演算して得た演算結果と一致した場合に、前記ロック状態を解除することを含むロック状態解除方法。
【００９３】
（付記１１）
前記複数の情報のうちの少なくとも１つに含まれる数値は、所定の更新条件を満足した場合に更新される付記１０に記載のロック状態解除方法。
【００９４】
（付記１２）
外部環境を特定する物理量を測定し、前記複数の情報のうちの少なくとも１つに含まれる数値は、測定した物理量が変化した場合に測定結果に応じて更新される付記１１に記載のロック状態解除方法。
【００９５】
（付記１３）
前記特定情報に応じた類型振動を振動器に発生させることで前記類型振動を前記通知対象者に感知させる振動通知方式、及び、音響を前記通知非対象者に聴取させずに前記通知対象者に聴取させる音響伝達器を利用して、前記特定情報に応じた類型音響を前記通知対象者に聴取させる音響通知方式のうちの少なくとも一方で前記特定情報を前記通知対象者に通知する付記１０から付記１２の何れか１つに記載のロック状態解除方法。
【００９６】
（付記１４）
前記所定の選択方式は、前記表示部が表示している前記複数の情報から１つの情報を無作為に選択する選択方式である付記１０から付記１３の何れか１つに記載のロック状態解除方法。
【００９７】
（付記１５）
コンピュータに、ロック状態において、各々数値を含む異なる複数の情報を表示する表示部が表示している前記複数の情報から所定の選択方式に従って選択した情報を特定する特定情報を、通知非対象者に知覚されないように通知対象者に通知し、前記ロック状態において、指示された指示数値を受け付け、受け付けた前記指示数値が、前記表示部が現在表示している前記複数の情報のうちの前記通知対象者に通知した前記特定情報により特定された情報に含まれる数値から所定規則に従って特定した数値と所定の暗証番号とを所定の演算子を用いて演算して得た演算結果と一致した場合に、前記ロック状態を解除することを含む処理を実行させるためのロック状態解除プログラム。
【符号の説明】
【００９８】
１０  スマートデバイス
１２  表示部
１４  測定部
１６  通知部
１８  受付部
２０  解除部
５８  バイブレータ
７２  イヤホン
【図１】
2014239310.tif 000003
【図２】
2014239310.tif 000004
【図３】
2014239310.tif 000005
【図４】
2014239310.tif 000006
【図５】
2014239310.tif 000007
【図７】
2014239310.tif 000008
【図１０】
2014239310.tif 000009
【図１１】
2014239310.tif 000010
【図１３】
2014239310.tif 000011
【図６】
2014239310.tif 000012
【図８】
2014239310.tif 000013
【図９】
2014239310.tif 000014
【図１２Ａ】
2014239310.tif 000015
【図１２Ｂ】
2014239310.tif 000016
【図１２Ｃ】
2014239310.tif 000017
【図１２Ｄ】
2014239310.tif 000018
【図１２Ｅ】
2014239310.tif 000019
【図１２Ｆ】
2014239310.tif 000020
【図１２Ｇ】
2014239310.tif 000021
【図１２Ｈ】
2014239310.tif 000022
【図１２Ｉ】
2014239310.tif 000023
【図１２Ｊ】
2014239310.tif 000024
【図１２Ｋ】
2014239310.tif 000025
【図１２Ｌ】
2014239310.tif 000026
【図１２Ｍ】
2014239310.tif 000027
【図１２Ｎ】
2014239310.tif 000028
【図１２Ｐ】
2014239310.tif 000029
【図１２Ｑ】
2014239310.tif 000030
【図１２Ｒ】
2014239310.tif 000031
【図１２Ｓ】
2014239310.tif 000032
【図１２Ｔ】
2014239310.tif 000033